(57)【要約】      （修正有）【課題】屋根面P、Qが凹状又は凸状に彎曲していてもこの屋根面P,Qの凹凸形状に正確に沿わせて安定性の向上を図れ、作業者の転倒を防止し、歩行、作業の安全を図れる屋根工事用の足場を提供する。【解決手段】可撓性材料で形成された屈曲自在な板２と、板２の表面に複数隔設した断面山形状のステップ３とからなり、板２の片側又は両側に手摺を起立してなる屋根工事用足場で、ステップ３に対応する板２の下面に滑り止めを施した補助シート６が設けられていることを特徴とする。手摺Ｔは、縦支柱７と、縦支柱７の上下に端部を枢着した二本の横支柱８，８とブレス９とからなっている。【選択図】図１
2006348580.tif 000002
【特許請求の範囲】
【請求項１】
屈曲自在な板と、板の表面に複数隔設したステップとからなる屋根工事用足場
【請求項２】
板の片側又は両側に手摺を起立している請求項１に記載の屋根工事用足場。
【請求項３】
板がゴム，軟性な合成樹脂その他の可撓性材料で成形され、ステップが断面山形状に形成されていると共に表面に滑り止めが施されている請求項１又は２に記載の屋根工事用足場。
【請求項４】
ステップに対応する板の下面に滑り止めを施した補助シートが設けられている請求項１、２又は３に記載の屋根工事用足場。
【請求項５】
手摺が縦支柱と、縦支柱の上下に端部を枢着した二本の横支柱とからなり、板の両端部に手摺用ブラケットを着脱自在に取付け、当該手摺用ブラケットに起立させたソケットに上記縦支柱を着脱自在に挿入させている請求項１，２、３又は４に記載の屋根工事用足場。
【請求項６】
板の両端に短手方向に沿ってガイド孔を設け、手摺用ブラケットに上記ガイド孔に沿う二本のロッドを設け、隣接させた二つの板の各ガイド孔にそれぞれ上記ロッドを一本づつ挿入させて板同士を長手方向に連設させている請求項５に記載の屋根工事用足場。
【発明の詳細な説明】
【技術分野】
【０００１】
本発明は、ビルディングの屋根、神社の屋根、ドームの球場の屋根又は一般家屋の屋根の建造、修理等の工事に使用する足場に関し、特に、屋根面が凹状又は凸状に湾曲している屋根の工事に適する足場に関する。
【背景技術】
【０００２】
一般に、ビルディングや一般家屋等の屋根を建造、修理する場合には、この屋根が任意の角度の勾配を有していると、作業者が屋根面に沿って縦横に歩行するのが困難で作業姿勢も不安定となり、作業性が悪く、最悪の場合には作業者が転倒して地上に落下する危険がある。
【０００３】
そこで、特許文献１に示すように、屋根面上における歩行中、作業中に作業者が転倒したり、地上に落下するのを防止し、安全な作業が行え、人身事故の発生を防止できる屋根工事用の足場が開発されている。
【０００４】
この屋根工事用の足場は、屋根面の勾配に合わせて当該屋根面上に縦方向に配設した角度調整自在な剛性のタラップと、タラップの片側又は両側に起立させた角度調整自在な手摺と、タラップの側部に角度調整自在な足場板支持金具を介して水平方向に結合した足場板と、足場板の片側又は両側に起立させた手摺とからなり、上記タラップと足場板上に沿って作業者が歩行し、作業を行うようにしている。
【特許文献１】特開２００２-８９０３３号公報(図面，請求項１参照)
【発明の開示】
【発明が解決しようとする課題】
【０００５】
上記の屋根工事用の足場は、タラップや足場板に沿って歩行でき、手摺も設けられているから作業者の安全が図れ、機能上の欠陥があるわりではないが、以下のような不具合の改善が望まれている。
【０００６】
即ち、神社の屋根のように任意の角度の勾配に加えて凹状に彎曲しながらそりかえっている場合、あるいは、ドーム球場の屋根、石油タンクの屋根のように凸状に彎曲している屋根の場合には、上記従来のタラップや足場板は剛性で水平となっているので、上記凹状又は凸状の屋根面に沿ってぴったりとフィットできない場合がある。
【０００７】
その結果、タラップや足場板の端部と屋根面との間に隙間が発生し、この隙間分タラップや足場板が揺動し、不安定となり、作業者が転倒するおそれがある。
【０００８】
そこで、本発明の目的は、屋根面が凹状又は凸状に彎曲していてもこの屋根面にぴったりとフィットさせて安定性の向上を図れ、作業者の転倒を防止し、歩行、作業の安全を図れる屋根工事用の足場を提供することである。
【課題を解決するための手段】
【０００９】
上記の目的を達成するため、本発明の手段は、屈曲自在な板と、板の表面に複数隔設したステップとからなるものである。この場合、板の片側又は両側に手摺を起立しても良い。
【００１０】
同じく、板がゴム、軟性な合成樹脂その他の可撓性材料で成形され、ステップが断面山形状に形成されていると共に滑り止めが施されているのが好ましい。
【００１１】
同じく、ステップに対応する板の下面に滑り止めを施した補助シートが設けられているのが好ましい。
【００１２】
同じく、手摺が縦支柱と、縦支柱の上下に端部を枢着した二本の横支柱とからなり、板の両端部に手摺用ブラケットを着脱自在に取付け、当該手摺用ブラケットに起立させたソケットに上記縦支柱を着脱自在に挿入させているのが好ましい。
【００１３】
この場合、板の両端に短手方向に沿ってガイド孔を設け、手摺用ブラケットに上記ガイド孔に沿う二本のロッドを設け、隣接させた二つの板の各ガイド孔にそれぞれ上記ロッドを一本づつ挿入させて板同士を長手方向に連設させているのが好ましい。
【発明の効果】
【００１４】
本発明によれば、板が屈曲自在に形成されているので、屋根面の全体又は一部が凹状又は凸状に湾曲していても、この湾曲面に沿って板を屈曲できるので、板の下面が屋根面に沿ってぴったりとフィットでき、板が縦方向又は横方向に揺動したり、すべったりするのが防止される。この為、板上のステップを作業者が安定して歩行し、作業が行え、作業者の転倒を防止し、安全性の向上を図れる。
【発明を実施するための最良の形態】
【００１５】
以下本発明の実施の形態を図に基づいて説明するが、本発明の屋根工事用の足場Ａは、通常の傾斜した一般家屋の屋根のみならず、図３に示すような神社の構造物Ｂのように凹状に彎曲した屋根面Ｐや図４に示すようなドーム球場のような構造物Ｃの凸状に湾曲した屋根面Ｑに配置して使用するのに適するものである。
【００１６】
屋根工事用の足場Ａの基本構造は、図１(Ａ)，(Ｂ)に示すように、屈曲自在な板２と、板２の表面に複数隔設したステップ３とからなり、必要に応じて板２の片側又は両側に手摺を起立するものである。
【００１７】
この場合、板２がゴム、軟性な合成樹脂その他の可撓性材料で成形され、ステップ３が図５に示すように、断面山形状に形成されていると共に表面に多数のリブ４からなる滑り止めが施されている。
【００１８】
同じく、ステップ３に対応する板２の下面にのこぎり歯状のリブ５からなる滑り止めを施したゴム、軟性合成樹脂その他の可撓性材料で成形された補助シート６が設けられている。
【００１９】
手摺Ｔは、縦支柱７と、縦支柱７の上下に端部を枢着した二本の横支柱８，８とブレス９とからなっている。
【００２０】
更に、板２の両端部に図５に示すように手摺用ブラケット１０を着脱自在に取付け、当該手摺用ブラケット１０に起立させたソケット１１に上記縦支柱７を着脱自在に挿入させている。
【００２１】
この場合、図２からわかるように、板２の両端を折り曲げて短手方向に沿っガイド孔２Ａを設けている。そして手摺用ブラケット１０に図５、図８に示すような上記ガイド孔２Ａに沿う二本のロッド１２，１２を設け、図１に示すように、隣接させた二つの板２，２の各ガイド孔２Ａにそれぞれ上記ロッド１２を一本づつ挿入させて板同士を長手方向に連設させても良い。
【００２２】
以下更に詳しく説明すると、板２は、可撓性材料で成形されていることにより上記屋根面１又は２の勾配に沿って配設されると共に屋根面１又は２が凹状又は凸状に湾曲していたり、連続して凹凸面が形成されていても、これらの面に均一に屈曲して下面全体がフィットするようになっている。
【００２３】
板２は、金属製のロッド又は細長い板材を屈曲自在に複数縦方向に連結したものでも使用可能である。要するに屋根面の凹凸に対応して均一にフィットできるようになっていれば良い。
【００２４】
ステップ３は、図６に示すように、一対の傾斜部３ａ，３ａと中央の長方体部３ｂとで山形状に形成され、各傾斜部３ａと長方体部３ｂの表面にリブ４が形成されている。
【００２５】
この為、図７に示すように、作業者がステップ３のどちらの傾斜部３ａ，３ａに踏み込んでもリブ４で靴Ｄに対する滑り止めが達成される。
【００２６】
板２の下面には滑り止めの為に粗面にしても良く、図６に示すようにリブ５を形成した補助シート６を下面側に重ね、ステップ３の両端折り曲げ部と板２と補助シート６とをボルト１３とナット１４とで定着させても良い。
【００２７】
補助シート６にはボルト１３の頭部が下方に突出しないように溝１５を形成している。
【００２８】
ステップ３の両端は、山形状のカバー１６で被覆されているのが好ましい。
【００２９】
手摺Ｔは、縦支柱７と横支柱８とからなり、必要に応じてブレス９を斜め方向に架設しても良い。
【００３０】
縦支柱７を手摺用ブラケット１０に回転自在に軸支させ、横支柱８の両端を縦支柱７に対して回転自在に枢着させることで手摺Ｔ全体を折り畳みできるようにしても良い。又、縦支柱７と横支柱８とブレス９は伸縮自在にしても良い。
【００３１】
足場Ａは、図２に示すように、単一の板２と手摺Ｔからなるものでも良く、屋根面の大きさに応じて図１に示すように長手方向に沿って単一の足場Ａを複数結合させても良い。
【００３２】
単一の足場Ａを隣接して二組結合する場合には図１，図８に示す手摺ブラケット１０と、この手摺用ブラケット１０に一体に連結した平行な一対のロッド１２，１２と、ロッドの止め具１６とを使用する。
【００３３】
手摺用ブラケット１０は、図１において、左右方向に延びる引掛片１７，１７と、前側方向に延びる上下一対の支持片１８，１８とからなり、この支持片１８と反対側で板２の短手方向たる後側方向に水平に二本のロッド１２，１２が延びている。
【００３４】
又、上記一対の支持片１８，１８間には手摺Ｔにおける縦支柱７を挿入するソケット１０が取付けられて上方に起立している。
【００３５】
手摺用ブラケット１０と反対側にはロッドの止め具１６が設けられ、この止め具１６はロッド挿入孔を備えた左右一対の引掛片１９，１９と、孔２１，２１を備えた水平な固定片２０とからなっている。
【００３６】
これにより、手摺用ブラケット１０を左右に隣接する板２，２の前側端部側面に沿わせ、次いで各板２２，の孔２Ａ，２Ａ内にロッド１２，１２をそれぞれ挿入し、更に止め具１６のロッド挿入孔を貫通させる。そして最後にロッド１２，１２に設けたロックピン２３，２３をそれぞれ止め具１６の孔２１に差し込んでロッド１２，１２の抜け止めが行わされるようになっている。
【００３７】
これにより隣接する一対の板２，２が左右たる長手方向に結合され、同様の結合を続けることにより単一の足場Ａを長手方向に沿って任意の数だけ連設し、工事用の屋根面Ｐ，Ｑの面積に対応させるようになっている。
【００３８】
上記のソケット１１には縦支柱７の下部が差し込まれ、ソケット１１と縦支柱７に設けた孔に挿入したロックピン２４で両者が結合される。
【００３９】
手摺用ブラケット１０と止め具１６とが最終の足場Ａの端部に保持された場合、これらの手摺用ブラケット１０と止め具１６の各引掛片１７，１９の孔２２に吊りワイヤ又はロープ２３が止め片２５を介して結合され、このワイヤ又はロープ２３の他端は屋根Ｐ，Ｑの上方に設けた保持部材に結合され、保持部材にワイヤ又はローブ２３を介して吊持ちさせることにより、足場Ａが屋根の下方にずり落ちないようにしてより安全性を図っている。
【００４０】
本発明の足場Ａは、通常板２下面に粗面やリブ５を備えた補助シート６で滑り止めが施されているが、大きな衝撃等が作用して上記の滑り止め機構で耐えられないような場合が生じても上記ワイヤ又はロープ２３で保持されて下方に落下しないようにしている。
【００４１】
尚、図３，図４に示すように、足場Ａの下方には金網等らなる防護用の板、壁Ｒが取付けられており、屋根の上方から工具、建材が落下したり、あやまって作業者が滑り落ちたりしてもこれらを受け取ってそれ以下地上に落下するのを防止するようにしている。
【図面の簡単な説明】
【００４２】
【図１】（Ａ）本発明の一実施の形態にかかる屋根工事用足場の平面図である。
【００４３】
（Ｂ）同じく正面図である。
【図２】（Ａ）単一の屋根工事用足場の拡大平面図である。
【００４４】
（Ｂ）同じく正面図である。
【図３】（Ａ）神社の屋根に取付けた状態の屋根工事用足場の正面図である。
【００４５】
（Ｂ）同じく平面図である。
【図４】（Ａ）ドーム球場の屋根に取付けた状態の屋根工事用の正面図である。
【００４６】
（Ｂ）同じく平面図である。
【図５】（Ａ）単一の足場の端部に手摺用ブラケットを取付けた状態の拡大平面図である。
【００４７】
（Ｂ）同じく正面図である。
【図６】ステップの拡大銃弾正面図である。
【図７】ステップに対する作業者の踏み込み状態を示す正面図である。
【図８】(Ａ)止め具の拡大背面図である。
【００４８】
(Ｂ)  ロッドと手摺用ブラケットの拡大平面図である。
【００４９】
(Ｃ)  手摺用ブラケットの拡大正面図である。
【符号の説明】
【００５０】
２  板
３  ステップ
４，５  リブ
６  補助シート
７  縦支柱
８  横支柱
９  ブレス
１０  手摺用ブラケット
１１  ソケット
１２  ロッド
Ａ  足場
Ｐ，Ｑ  屋根面
２Ａ  ガイド孔
【図１】
2006348580.tif 000003
【図２】
2006348580.tif 000004
【図３】
2006348580.tif 000005
【図４】
2006348580.tif 000006
【図５】
2006348580.tif 000007
【図６】
2006348580.tif 000008
【図７】
2006348580.tif 000009
【図８】
2006348580.tif 000010